(57)【要約】【課題】基板に反りを発生させることなく、容易にかつ簡単な構成でヒートパイプやヒートシンクなどの冷却装置を基板に固定することができる冷却装置の実装構造を提供する。【解決手段】基板１に設置された発熱部材２を冷却するための冷却装置３をその基板１に固定する冷却装置の実装構造において、冷却装置３の受熱部４を発熱部材２に当接させかつ調圧可能に押圧して基板１に固定するとともに、基板１に対して冷却装置３を固定する個所が複数個所形成され、冷却装置３を基板１に固定する際にその基板に発生する応力を複数個所に分散させる補強固定板７を設けた。【選択図】図１
2011258831.tif 000002
【特許請求の範囲】
【請求項１】
基板に設置された発熱部材を冷却するための冷却装置を該基板に固定する冷却装置の固定構造において、
前記冷却装置の受熱部を前記発熱部材に当接させかつ調圧可能に押圧して前記基板に固定するとともに、前記基板に対して前記冷却装置を固定する個所が複数個所形成されて、前記冷却装置を前記基板に固定する際に該基板に発生する応力を前記複数個所に分散させる補強固定板を備えている
ことを特徴とする冷却装置の固定構造。
【請求項２】
前記補強固定板は、前記基板の一方の面に配置された前記冷却装置を前記複数個所でねじ締結して前記基板に固定する際にそれぞれボルトと嵌り合う前記複数個所の雌ねじ部と、前記冷却装置をねじ締結して前記基板に固定する際に該基板の他方の面に当接して反力を受ける反力受け部とが形成されていることを特徴とする請求項１に記載の冷却装置の固定構造。
【請求項３】
前記複数個所の雌ねじ部は、前記反力受け部を介して互いに応力の伝播が可能に連結されていることを特徴とする請求項２に記載の冷却装置の固定構造。
【発明の詳細な説明】
【技術分野】
【０００１】
この発明は、例えば電子機器や通信機器に搭載されて電子回路の冷却に利用されるヒートパイプやヒートシンクなどの冷却装置を基板に固定するための固定構造に関するものである。
【背景技術】
【０００２】
近年、電子機器や通信機器の高性能化および小型・軽量化に伴い、それら電子・通信機器に搭載されるＣＰＵ（Central Processing Unit；中央演算装置）やＧＰＵ（Graphics Processing Unit;画像処理を専門とする補助装置）の発熱量も増大しており、特にその発熱密度が急増してきている。そのため、熱輸送能力に優れたヒートパイプやベーパーチャンバ、あるいはそれらヒートパイプやベーパーチャンバとヒートシンクとを組み合わせた冷却モジュール等を用いて、ＣＰＵやＧＰＵなどの電子回路における発熱体を効果的に冷却することが求められている。
【０００３】
上記のＣＰＵやＧＰＵなどの発熱体は、電子・通信機器の電子回路を構成する基板に設置されるが、そのような発熱体を冷却するためのヒートパイプあるいはヒートシンク等の冷却装置も基板に固定する必要がある。具体的には、ヒートパイプあるいはヒートシンク等の受熱板とＣＰＵやＧＰＵなどの発熱体とを、それらの間で所望の熱伝達状態が得られるように押圧して密接させるとともに、それら受熱板およびヒートパイプあるいはヒートシンク本体を基板に確実に固定する必要がある。そのため、上記のようなヒートパイプあるいはヒートシンクは、例えば、ボルトおよびナットを用いたねじ締結やいわゆるプッシュピンを用いた締結機構、あるいはリベットを用いたリベット継手構造などによって基板に固定されている。
【０００４】
上記のように基板に対して所定の部材を固定するもしくは実装する技術に関連する発明が特許文献１および特許文献２に記載されている。これら特許文献１，２に記載されたリード端子の取付構造は、端子台にリード端子を取り付ける際の作業コストの低減を図ることを目的としていて、ボルト孔が形成されたリード端子を取り付けるための取付用ボルトを貫通可能な貫通孔が形成された端子台と、その端子台が固定されたときに貫通孔に対向する位置に取付用ナットが嵌合可能でかつその取付用ナットの回動を阻止する嵌合孔が形成されたプリント基板とを含み、嵌合孔に取付用ナットを嵌合させ、かつ端子台をプリント基板に固定したときに、端子台の裏面によって取付用ナットの端子台方向への抜けを阻止するとともに、ボルト孔および貫通孔に貫通させた取付用ボルトと取付用ナットとを締め付けることにより端子台にリード端子を取り付けるように構成されている。
【０００５】
また、特許文献３には、簡単なプレス成形によってボルトやナットをベース板に確実に接合することが可能な構成を得ることを目的として、ベース板に椀状膨出部を形成し、この椀状膨出部の頂部にナットの非真円形フランジを重ね、そのフランジを成形用ダイによって椀状膨出部に押し付けることによってそのフランジを囲む襞状突部を形成するとともに、成形用ダイのテーパ面によって襞状突部を内側に倒してフランジにかしめるように構成されたベース板へのねじ部品の接合構造に関する発明が記載されている。
【０００６】
そして、特許文献４には、取付ボルトを金属プレートに設けたナット体にねじ込んで取付部材を締付固定する場合に、取付部材あるいは金属プレート自身の供回りを防止するとともに、取り付け後の外部応力に対しても回り止めとなるように構成されるナット付き取付金具に関する発明が記載されている。
【０００７】
なお、特許文献５には、径寸法の異なる管体の固定に対して１種類のボルト・ナットを共通に用いることにより、部品管理の簡素化およびコストの低減を図ることを目的として、柵の支柱とビームとを接続する継手金具と、その継手金具とビームまたは継手金具と支柱とを接続して固定するボルトおよび頭付き筒ナットとから構成された柵用フリーサイズ固定金具に関する発明が記載されている。そしてこの柵用フリーサイズ固定金具における頭付き筒ナットは、その内壁に雌ねじが形成されるとともに、その全長がボルトの雄ねじの長さとほぼ等しくなるように形成されている。
【先行技術文献】
【特許文献】
【０００８】
【特許文献１】特開平１１−１５４５４６号公報
【特許文献２】特開平７−２４５１３２号公報
【特許文献３】特開２００８−９３７００号公報
【特許文献４】特開平１１−３０３８３３号公報
【特許文献５】特開２００３−４１８１０号公報
【発明の概要】
【発明が解決しようとする課題】
【０００９】
前述したように、電子・通信機器においては小型・軽量化が求められており、機器の筐体内のスペースも可及的に狭く設定される。したがって、上記のようなヒートパイプやヒートシンク等の冷却装置も、機器の筐体内の限られたスペースの中で、無駄なく効率良く収容して設置する必要がある。しかしながら、ヒートパイプやヒートシンク等の冷却装置を、上記のようなねじ締結やプッシュピンを用いた締結機構あるいはリベット継手構造によって基板に固定する場合には、基板の裏面側にナットやプッシュピン先端のフック部分あるいはリベットの頭部分の配置スペースを確保しなければならず、それによって基板裏面側の高さスペースを削減することに限界が生じてしまう。
【００１０】
そこで、上記の特許文献１，２，３に記載されているような取り付け構造もしくは接合構造を応用して、ヒートパイプやヒートシンクなどの冷却装置を基板に取り付けることが考えられる。その場合には、基板裏面側のナット等の配置スペースを不要にして、もしくは低減して、基板裏面側の必要高さスペースを削減することができる。また、ナットが回り止めされて基板に固定されることにより、ボルトのねじ締め作業を容易に行うこともできる。しかしながら、一方では、端子台を用意してそれを別途基板に固定しなければならず、あるいは予めプレス加工等を施して基板にナットを固定しておかなければならず、取り付けのための構造および工程が複雑になってしまう。
【００１１】
また、上記の各特許文献に記載されているようなボルト・ナットを用いたねじ締結、あるいは前述のプッシュピンを用いた締結機構やリベット継手構造によって基板にヒートパイプやヒートシンク等の冷却装置を固定する場合には、複数のボルトおよびナットによる締結部分、あるいは複数のプッシュピンやリベットによる締結部分のそれぞれで、冷却装置が基板に対して固定される。そのため、その締結部分の１個所毎で基板に局部的な応力が発生し、その応力に起因して基板に反りが発生してしまう可能性がある。
【００１２】
この発明は上記の技術的課題に着目してなされたものであり、基板に反りを発生させることなく、容易にかつ簡単な構成でヒートパイプやヒートシンクなどの冷却装置を基板に固定することができる冷却装置の実装構造を提供することを目的とするものである。
【課題を解決するための手段】
【００１３】
この発明は、上記の目的を達成するために、請求項１の発明は、基板に設置された発熱部材を冷却するための冷却装置を該基板に固定する冷却装置の固定構造において、前記冷却装置の受熱部を前記発熱部材に当接させかつ調圧可能に押圧して前記基板に固定するとともに、前記基板に対して前記冷却装置を固定する個所が複数個所形成されて、前記冷却装置を前記基板に固定する際に該基板に発生する応力を前記複数個所に分散させる補強固定板を備えていることを特徴とするものである。
【００１４】
また、請求項２の発明は、請求項１の発明において、前記補強固定板が、前記基板の一方の面に配置された前記冷却装置を前記複数個所でねじ締結して前記基板に固定する際にそれぞれボルトと嵌り合う前記複数個所の雌ねじ部と、前記冷却装置をねじ締結して前記基板に固定する際に該基板の他方の面に当接して反力を受ける反力受け部とが形成されている構成を含むことを特徴とするものである。
【００１５】
そして、請求項３の発明は、請求項２の発明において、前記複数個所の雌ねじ部が、前記反力受け部を介して互いに応力の伝播が可能に連結されている構成を含むことを特徴とするものである。
【発明の効果】
【００１６】
請求項１の発明によれば、冷却装置を基板に固定する場合、例えばねじ締結などによって、冷却装置の受熱部を所望する押圧力で発熱部材に当接させた状態で、冷却装置を基板に固定することができる。そして、冷却装置を固定する際に、冷却装置側から締結力等の力が基板に作用することにより基板に発生する応力を複数の個所に分散させることができ、その結果、基板に反りが発生してしまうことを防止もしくは抑制することができる。したがって、基板に反りを発生させることなく、容易にかつ簡単な構成で冷却装置を基板に固定することができる。
【００１７】
また、請求項２の発明によれば、冷却装置を基板に固定する場合、基板の両面に冷却装置と補強固定板とがそれぞれ配置され、それら冷却装置と補強固定板とで基板を挟み込むようにして複数個所でねじ締結されることにより、冷却装置が基板に固定される。したがって、冷却装置をねじ締結する際にボルトをねじ締めする場合には、ナット側の雌ねじ部が補強固定板に形成されていることにより、いわゆるナットが回り止めされた状態になるので、ボルトを容易にねじ締めすることができる。
【００１８】
そして、請求項３の発明によれば、ねじ締結により冷却装置を基板に固定する場合に、基板を挟んでボルトからの締結力を受ける補強固定板の複数個所の雌ねじ部が、補強固定板の基板との対向面側に形成された反力受け部により、互いの間で応力の伝播が可能なように形成される。そのため、冷却装置をねじ締結する際に、基板および補強固定板が冷却装置側から締結力を受けることにより発生する応力を確実に複数個所に分散させることができる。
【図面の簡単な説明】
【００１９】
【図１】この発明に係る冷却装置の固定構造の構成を説明するための側断面図であって、図３におけるI-I線断面図である。
【図２】この発明に係る冷却装置の固定構造の構成を説明するための拡大断面図であって、図３におけるII-II線断面図である。
【図３】この発明に係る冷却装置の固定構造の構成を説明するための上面図である。
【図４】この発明に係る冷却装置の固定構造における補強固定板の一例を示す図である。
【図５】この発明に係る冷却装置の固定構造における補強固定板の他の例を示す図である。
【発明を実施するための形態】
【００２０】
つぎに、この発明の実施例を図面に基づいて説明する。この発明で対象としている冷却装置は、例えば薄型テレビやパーソナルコンピュータなどの電子・通信機器に搭載されるものであって、具体的には、電子・通信機器の電子回路に実装されるＣＰＵやＧＰＵなどの発熱体を冷却するために設置されるものである。より具体的には、ヒートパイプやベーパーチャンバ、あるいはそれらヒートパイプやベーパーチャンバとヒートシンクとを組み合わせた冷却モジュールなどの冷却装置である。そして、この発明に係る冷却装置の固定構造は、上記のような冷却装置を、ＣＰＵやＧＰＵなどの発熱体が設置された電子回路基板に固定するための構造である。
【００２１】
図１ないし図３に示すように、この発明に係る冷却装置の固定構造は、基板１に半田付けなどにより取り付けられ、電流が流されることによりその電気抵抗によって発熱する半導体やＣＰＵやＧＰＵなどの電子部品２すなわちこの発明における発熱部材と、その電子部品２の熱を受熱するためにその電子部品２に面接触して配置された冷却装置３の受熱板４とが積層して配置されている。
【００２２】
冷却装置３は、上述のように、ヒートパイプやベーパーチャンバ、あるいはそれらとヒートシンクとを組み合わせた冷却モジュールにより構成されるものであり、この具体例では、ヒートパイプ５とヒートシンク６とからなる冷却モジュールによって構成された例を示している。
【００２３】
受熱板４すなわちこの発明における受熱部は、電子部品２の放熱面よりも大きい受熱面を有していて、基板１に固定された電子部品２の上面（すなわち放熱面）に、その受熱面が密着させられて配置されている。そして、その受熱板４に、上記のヒートパイプ５の一方の端部が一体に固着され、そのヒートパイプ５の他方の端部に、ヒートシンク６が連結されている。したがって、電子部品２で発熱して受熱板４に伝達された熱は、ヒートパイプ５に吸熱され、そしてヒートパイプ５内で熱輸送されて、ヒートシンク６において外気と熱交換して冷却されるようになっている。
【００２４】
前述したように、この発明に係る冷却装置３の固定構造は、発熱体である電子部品２を冷却する冷却装置３を基板１に取り付けて固定するためのものであり、その取り付けの際に、基板１に反りを発生させることなく、容易にかつ簡単な構成で冷却装置３を基板に固定することができるように構成されている。すなわち図１，図２，図４に示すように、この発明に係る冷却装置３の固定構造は、冷却装置３の受熱部４を電子部品２の発熱面に当接させ、かつ調圧可能に押圧して基板１に固定するとともに、その基板１に対して冷却装置３を固定する個所が複数個所形成されて、冷却装置３を基板１に固定する際に基板１に発生する応力をその複数個所に分散させるように構成された補強固定板７を備えている。
【００２５】
補強固定板７は、例えばアルミニウム合金や銅合金などの金属製の板状部材であり、基板１の表面１ａ側（図１，図２での上側）に配置された冷却装置３を、複数個所（この具体例では４個所）でねじ締結して基板１に固定する際に、それぞれボルト８と嵌り合う４個所の雌ねじ部９と、基板１の裏面１ｂ側（図１，図２での下側）に当接して反力を受ける反力受け部１０とが形成されている。
【００２６】
上記の４個所の雌ねじ部９は、図４に示すように、補強固定板７の四隅に設けられた円筒形状の突起であって、その円筒状突起の内周部分に、上記のボルト８と嵌り合う雌ねじが形成されている。それら４個所の雌ねじ部９の位置は、基板１および受熱板４にそれぞれ形成された貫通孔１１，１２の位置と対応しており、冷却装置３をねじ締結して基板１に固定する際に、各雌ねじ部９が貫通孔１１，１２に嵌合するようになっている。したがって、基板１とその基板１の表面１ａ側に設置されている電子部品２とを挟み込むようにして、受熱板４と補強固定板７とを配置して、受熱板４側からボルト８によりねじ締結することにより、受熱板４およびその受熱板４と一体のヒートパイプ５およびヒートシンク６を基板１に固定すること、すなわち冷却装置３を基板１に固定することができる。
【００２７】
具体的には、図２に示すように、貫通孔１１，１２に挿入された雌ねじ部９に、上側からボルト８が螺合されている。さらに、そのボルト８の頭部８ａと受熱板４との間には、ボルト８が締め付けられることにより受熱板４を下方に付勢するスプリング１３が設けられている。したがって、基板１と受熱板４とは、雌ねじ部９が形成された補強固定板７と、その雌ねじ部９に螺合して固定されるボルト８の頭部８ａと受熱板４との間に設けられたスプリング１３とにより挟持されて固定される。
【００２８】
スプリング１３は、この具体例では、例えば圧縮コイルばねにより構成された弾性部材であり、上記のようにボルト８と受熱板４との間に、このスプリング１３のような弾性部材を装着してボルト８をねじ締めすることにより、受熱板４と電子部品２の発熱面との接触圧力を適宜の圧力に調圧して、冷却装置３を基板１に固定することができる。すなわち、雌ねじ部９に対するボルト８のねじ締め量を調整することにより、あるいはスプリング１３のばね定数を調整して設定することにより、受熱板４と電子部品２の発熱面との間の接触圧力を適宜の大きさに調圧することできる。
【００２９】
さらに、上記のように、複数の雌ねじ部９が補強固定板７に固定されていることから、雌ねじ部９に対してボルト８をねじ締めする場合、雌ねじ部９は回り止めされた状態となっている。そのため、雌ねじ部９に対してボルト８をねじ締めする際には、例えばボルトとナットとを締結する場合のようなナットを供回りさせないようにスパナ等で付勢する工程が不要になり、その分作業性を向上させることができる。
【００３０】
なお、上記の図２に示す例では、スプリング１３として圧縮コイルばねを用いた構成を示しているが、これに限定されず、例えば板ばねを用いてもよく、あるいはゴムや樹脂などの弾性体を用いてもよい。要するに、冷却装置３をねじ締結して基板１に固定する際に、ボルト８と受熱板４との間で圧縮弾性変形し、受熱板４に電子部品２側への付勢力を与える弾性部材であればよい。
【００３１】
また、図示してはいないが、ボルト８と雌ねじ部９とによるねじ締結部分において、ボルト８の頭部８ａとスプリング１３との間、および、スプリング１３と受熱板４との間に、座金を介在させてもよい。その場合、ボルト８をねじ締めする際の軸力、あるいはスプリング１３による付勢力を適切に受熱板４側へ作用させることができる。
【００３２】
そして、補強固定板７の反力受け部１０は、図４に示す例では、補強固定板７の周縁部に形成されたリブ状の厚肉部分であって、その表面部分が、冷却装置３をねじ締結して基板１に固定する際に基板１の裏面１ｂと面接触するように形成されている。また、この反力受け部１０は、上記の雌ねじ部９が形成された補強固定板７の四隅を含んで連続した一体形状となっていて、反力受け部１０のいずれかの個所で応力が発生した場合に、その応力が反力受け部１０を介してその反力受け部１０の各部へ伝播するように形成されている。すなわち、いずれか１個所の雌ねじ部９で応力が発生した場合には、反力受け部１０を介して、他の３個所の雌ねじ部９の方向へ応力が伝播するようになっている。言い換えると、いずれか１個所の雌ねじ部９で発生した応力が、反力受け部１０を介して、他の３個所の雌ねじ部９の部分へ分散される構成となっている。
【００３３】
したがって、冷却装置３をねじ締結して基板１に固定する際に、補強固定板７の雌ねじ部９に応力が発生することに起因して、その雌ねじ部９が挿入された基板１の貫通孔１１の周辺にも応力が発生した場合に、上記のように雌ねじ部９で発生した応力が補強固定板７の反力受け部１０の各部へ分散されることから、基板１の貫通孔１１周辺に発生した応力も、その貫通孔１１周辺に集中することなく、反力受け部１０を介して基板１の各部に分散される。そのため、基板１に局部的な力が作用することによる基板１の反りの発生を防止もしくは抑制することができる。
【００３４】
なお、補強固定板７の反力受け部１０の形状は、上記の図４に示すような形状に限らず、例えば、図５に示すように、上記の図４に示す補強固定板７の周縁部に形成された反力受け部１０に加えて、互いに対角で対向する雌ねじ部９を接続するように補強固定板７の対角方向に形成されたリブ１４を含めた形状に形成することもできる。あるいは、上記の図４やこの図５に示すようなリブ形状を内部に設けた中空のプレートとして補強固定板７を形成することもできる。
【００３５】
以上のように、この発明に係る冷却装置の固定構造によれば、冷却装置３を基板１に固定する場合、例えばねじ締結などによって、冷却装置３の受熱板４を所望する押圧力で、発熱体である基板１上の電子部品２の発熱面に当接させた状態で、冷却装置３を基板１に固定することができる。そして、冷却装置３を固定する際に、冷却装置３側から締結力等の力が基板１に作用することによりその基板１に発生する応力を、複数の個所（上記の具体例では４個所）に分散させることができる。その結果、基板１に反りが発生してしまう事態を防止もしくは抑制することができる。したがって、基板１に反りを発生させることなく、容易にかつ簡単な構成で冷却装置３を基板１に固定することができる。
【００３６】
また、上記のように冷却装置３を基板１に固定する場合、基板１の両面に、すなわち基板１の表面１ａに冷却装置３が、基板１の裏面１ｂに補強固定板７がそれぞれ配置され、それら冷却装置３と補強固定板７とで基板１を挟み込むようして４個所でねじ締結されることにより、冷却装置３が基板１に固定される。したがって、冷却装置３をねじ締結する際にボルト８をねじ締めする場合には、ナット側となる雌ねじ部９が補強固定板７に一体に形成されていることにより、いわゆるナット側が回り止めされた状態となるので、ボルト８を容易にねじ締めすることができる。
【００３７】
そして、ねじ締結により冷却装置３を基板１に固定する場合に、基板１を挟んでボルト８からの締結力を受ける補強固定板７の四隅に形成された４個所の雌ねじ部９が、補強固定板７の基板１との対向面側に形成された反力受け部１０により、各雌ねじ部９の間で互いに応力の伝播が可能なように形成される。そのため、冷却装置３をねじ締結する際に、基板１および補強固定板７が冷却装置３側から締結力を受けることにより発生する応力を確実に複数個所に分散させることができる。
【符号の説明】
【００３８】
１…基板、  ２…電子部品（発熱部材）、  ３…冷却装置、  ４…受熱板（受熱部）、  ５…ヒートパイプ、  ６…ヒートシンク、  ７…補強固定板、  ８…ボルト、  ９…雌ねじ部、  １０…反力受け部、  １１，１２…貫通孔、  １３…スプリング。
【図１】
2011258831.tif 000003
【図２】
2011258831.tif 000004
【図３】
2011258831.tif 000005
【図４】
2011258831.tif 000006
【図５】
2011258831.tif 000007